(57)【特許請求の範囲】
【請求項１】
ペン先と、該ペン先の後端部外面を保持する合成樹脂製のペン先保持筒と、該ペン先保持筒を前端部に備えた合成樹脂製のインキ収容筒とからなる筆記具レフィルであって、金属製の連結筒を、前記ペン先保持筒の後端部内面及び前記インキ収容筒の前端部内面に圧入することにより、前記ペン先保持筒と前記インキ収容筒とを連結してなる筆記具レフィル。
【請求項２】
前記ペン先保持筒の後端部と前記インキ収容筒の前端部とを直接嵌合させない請求項１記載の筆記具レフィル。
【請求項３】
ペン先保持筒の内部に逆流防止用のボール弁を前後動可能に収容し、ペン先上向き状態で前記ボール弁が前記連結筒に環状に密接してなる請求項１または２記載の筆記具レフィル。
【請求項４】
前記インキ収容筒の前端部は、外径が２．８ｍｍ〜３．５ｍｍの範囲であり、且つ、内径が１．５ｍｍ〜２．０ｍｍの範囲である請求項１乃至３のいずれかに記載の筆記具レフィル。
【請求項５】
前記ペン先は、後端部の外径が０．４５ｍｍ〜２．０ｍｍの範囲のボールペンチップである請求項１乃至４のいずれかに記載の筆記具レフィル。
【発明の詳細な説明】
【０００１】
【発明の属する技術分野】
本発明は、筆記具レフィルに関する。詳細には、筆記具本体内に交換可能に収容する筆記具レフィルに関する。
【０００２】
【従来の技術】
従来、筆記具レフィルにおいて、（１）ペン先を保持した合成樹脂製のペン先保持筒を、直接、インキ収容筒の前端部内面に圧入する構成、あるいは、（２）ペン先を、直接、インキ収容筒の前端部内面に圧入する構成、等が知られている。
【０００３】
【発明が解決しようとする課題】
前記（１）の構成は、レフィルの外径（即ち、インキ収容筒の外径）を細くする必要がある場合（例えば、全体が細身となる手帳用筆記具や、複数本のレフィルを単一の筆記具本体内に収容する多芯筆記具の場合）、ペン先保持筒とインキ収容筒の嵌合部において、インキ通路が小さくなり、インキ収容筒内からペン先への十分なインキ供給が阻害され、筆跡のカスレや筆跡の途切れを発生するおそれがある。また、嵌合部のインキ通路において十分なインキ供給を得るために、ペン先保持筒またはインキ収容筒の嵌合部の肉厚を薄くすることも考えられるが、その場合、嵌合部の強度が低下し、嵌合部が割れたり嵌合部が潰れて、インキが外部に漏出するおそれがある。
【０００４】
また、前記（２）の構成は、ペン先の後端部の外径がインキ収容筒の前端部内径と等しいかそれより僅かに大きいことが必要であり、ペン先の後端部の外径がインキ収容筒の前端部の内径よりも小さい場合には採用できない。
【０００５】
本発明は前記従来の問題点を解決するものであって、インキ収容筒の外径が小さい場合であっても、インキ収容筒からペン先への十分なインキ供給量が確保されると同時に、ペン先保持筒とインキ収容筒との確実な取り付けが可能となる筆記具レフィルを提供しようとするものである。
【０００６】
【課題を解決するための手段】
〔１〕本発明は、ペン先２と、該ペン先２の後端部外面を保持する合成樹脂製のペン先保持筒３と、該ペン先保持筒３を前端部に備えた合成樹脂製のインキ収容筒４とからなる筆記具レフィル１であって、金属製の連結筒５を、前記ペン先保持筒３の後端部内面及び前記インキ収容筒４の前端部内面に圧入することにより、前記ペン先保持筒３と前記インキ収容筒４とを連結してなること（請求項１）を要件とする。
【０００７】
請求項１により、連結筒５が金属製であるため、その肉厚を薄くすることができる。それにより、インキ収容筒４の外径が小さい場合であっても、連結筒５内に比較的大きなインキ通路を確保でき、インキ収容筒４からペン先２への十分なインキ供給を可能にし、筆跡のカスレや筆跡の途切れの発生を抑えることができる。また、それと同時に、連結筒５の肉厚を薄くしても十分な強度が維持されるため、ペン先保持筒３とインキ収容筒４との確実な取り付けが可能となる。
【０００８】
〔２〕前記請求項１の筆記具レフィル１において、前記ペン先保持筒３の後端部と前記インキ収容筒４の前端部とを直接嵌合してもよいが、前記ペン先保持筒３の後端部と前記インキ収容筒４の前端部とを直接嵌合させないこと（請求項２）が好ましい。
【０００９】
請求項２により、ペン先保持筒３とインキ収容筒４とが径方向に重なることがないため、より一層、ペン先保持筒３とインキ収容筒４との間のインキ通路を大きく確保できる。
【００１０】
〔３〕前記請求項１または２の筆記具レフィル１において、ペン先保持筒３の内部に逆流防止用のボール弁６１を前後動可能に収容し、ペン先上向き状態で前記ボール弁６１が前記連結筒５に環状に密接してなること（請求項３）が好ましい。
【００１１】
請求項３により、ペン先上向き時のインキの逆流が防止される。さらに、連結筒５が、インキ収容筒４とペン先保持筒３とを連結すると同時に、ペン先上向き時の逆流防止用の弁座として機能を有するため、部品点数の増加を抑えることができる。
【００１２】
〔４〕前記請求項１、２または３の筆記具レフィル１において、前記インキ収容筒４の前端部は、外径が２．８ｍｍ〜３．５ｍｍの範囲であり、且つ、内径が１．５ｍｍ〜２．０ｍｍの範囲であること（請求項３）が好ましい。
【００１３】
（作用）
請求項４により、細径のインキ収容筒４を得ることができ、手帳用の筆記具や多芯筆記具に有効となる。もし、インキ収容筒４の前端部の外径が、２．８ｍｍより小さい場合、及び、インキ収容筒４の前端部の内径が、１．５ｍｍより小さい場合、インキ収容量が小さくなり過ぎ、インキ収容筒４として適当ではない。また、逆に、インキ収容筒４の前端部の外径が、３．５ｍｍより大きい場合、及び、インキ収容筒４の前端部の内径が、２．０ｍｍより大きい場合、筆記具レフィルの外径が太くなり過ぎ、手帳用の筆記具や多芯筆記具には不向きである。
【００１４】
〔５〕前記請求項１、２、３または４の筆記具レフィル１において、前記ペン先２は、従来公知のペン体（例えば、多孔質ペン体、繊維ペン体、合成樹脂の押出成形体よりなるペン体、パイプペン体等）のいずれであってもよいが、後端部の外径が０．４５ｍｍ〜２．０ｍｍ（好ましくは、０．４５ｍｍ〜１．５ｍｍ）の範囲のボールペンチップであること（請求項５）が好ましい。
【００１５】
請求項５により、比較的細径のボールペンチップを備えたボールペンレフィルが得られる。特に、前記ボールペンチップの後端部の外径を、０．４５ｍｍ〜１．５ｍｍの範囲とした場合、パイプ状（ニードル状）のボールペンチップを備えたボールペンレフィルが得られる。もし、前記ボールペンチップの後端部の外径が、０．４５ｍより小さい場合、外径が細過ぎて製造が困難であり、一方、１．５ｍｍより大きい場合、ボールペンチップをインキ収容筒に直接圧入する従来の構成を採用すればよく、本発明の取付構造は不要である。
【００１６】
尚、請求項５において、少なくともボールペンチップの後端部外径が、前記特定範囲にあればよく、ボールペンチップの後端部（即ちペン先保持筒３に保持される部分）以外の部分の外径は、図１乃至図９のように、ボールペンチップ後端部外径と同じであってもよいし、異なるものであってもよい。また、前記ボールペンチップは、金属製パイプの前端部近傍の側壁を内方へ押圧変形することによりボール受け座を形成するタイプや、金属材料を切削加工によりボール受け座を形成するタイプが挙げられるが、いずれであってもよい。
【００１７】
【発明の実施の形態】
本発明の実施の形態を図面に従って説明する。
【００１８】
図１に、本発明の第１実施例を示す。筆記具レフィル１（ボールペンレフィル）は、主に、ペン先２（ボールペンチップ）と、該ペン先２の後端部外面を保持するペン先保持筒３と、該ペン先保持筒３の後端部内面に圧入される連結筒５と、該連結筒５が前端部内面に圧入されるインキ収容筒４とからなる。
【００１９】
前記ペン先２は、ストレートパイプ状（ニードル状）の金属製のボールペンチップである。前記ボールペンチップの前端部には、金属製パイプの前端部近傍に内方変形によるボール受け座２３と、金属製パイプの前端部を周状に内方変形した前端縁部２２とにより、回転可能にボール２１が抱持されている。前記金属製パイプの材質は、ステンレス鋼（好ましくはオーステナイト系ステンレス鋼）である。前記パイプ状のボールペンチップは、具体的には、ボール２１の外径が０．３ｍｍ、且つ、ボールペンチップの外径が０．５ｍｍのもの、ボール２１の外径が０．４ｍｍ、且つ、ボールペンチップの外径が０．６５ｍｍのもの、ボール２１の外径が０．５ｍｍ、且つ、ボールペンチップの外径が０．８ｍｍのもの、ボール２１の外径が０．７ｍｍ、且つ、ボールペンチップの外径が１ｍｍのもの、または、ボール２１の外径が１ｍｍ、且つ、ボールペンチップの外径が１．３１ｍｍのもの等が挙げられる。
【００２０】
前記ペン先保持筒３は、合成樹脂（例えば、ポリプロピレン、ポリアセタール等）の射出成形により得られる筒状体であり、後端部の外径が、インキ収容筒４の外径と等しく設定され（具体的には３ｍｍ）、後端部の内径が、インキ収容筒４の内径と等しく設定されている（具体的には１．７ｍｍ）。前記ペン先保持筒３の前端部内面には、ペン先保持孔３１が形成され、そこにペン先２（即ちボールペンチップ）の後端部外面が圧入固着される。また、前記ペン先保持筒３の後端部内面には、連結孔３２が形成され、そこに連結筒５の前部が圧入固着される。
【００２１】
前記連結筒５は、金属（例えば、ステンレス鋼等）の切削加工体からなる、両端部外面に面取りを有する略ストレートの筒体である。前記連結筒５は、本実施例では、外径が１．８ｍｍ、内径が１．２ｍｍに設定されている。前記連結筒５の前部外面は、ペン先保持筒３の後端部内面（即ち、連結孔３２）に圧入固着されると同時に、前記連結筒５の後部外面は、インキ収容筒４の前端部内面に圧入固着される。また、前記連結筒５の前端部内面には、環状突出部５１が形成される。
【００２２】
前記ペン先保持筒３の内部における、ペン先保持孔３１の後方且つ連結孔３２の前方には弁室６２が形成され、そこに、ボール弁６１が、前後動可能に収容されている。前記ボール弁６１の外径は、環状突出部５１（弁座）の内径より大きく、且つ、弁室６２の内径より小さく設定される。
【００２３】
前記ペン先保持筒３の弁室６２の前端部には、ペン先下向き時にボール弁６１が重力により下降して当接する当接部６３が形成される。前記当接部６３は、弁室６２のドーナツ状の前方底面の一部を後方に突出させた当接面よりなり、ボール弁６１との当接状態でインキ収容筒４からペン先２へのインキ供給が可能となる。即ち、ボール弁６１、弁室６２、環状突出部５１（弁座）、及び当接部６３により、逆流防止弁装置６が構成される。
【００２４】
また、前記ペン先保持筒３の弁室６２の後端部には、前記連結筒５の環状突出部５１（弁座）が位置しており、ペン先上向き時に、前記環状突出部５１にボール弁６１が重力により下降して環状に密接することにより、インキの逆流が防止される。
【００２５】
前記インキ収容筒４は、合成樹脂（例えば、ポリプロピレン等）の押出成形より得られる筒状体であり、本実施例では、外径３ｍｍ、内径１．７ｍｍに設定されてる。前記インキ収容筒４の前端部内面には、前記連結筒５の後部外面が圧入固着され、インキ収容筒４の前端部とペン先保持筒３の後端部とが連結される。本実施例では、ペン先保持筒３の後端面とインキ収容筒４の前端面とが当接しているが、ペン先保持筒３の後端部とインキ収容筒４の前端部とは、直接嵌合していない。
【００２６】
尚、インキ収容筒４内には、インキ８（例えば、水性ゲルインキ）と、その後端にインキ８の消費に伴い前進するグリス状のインキ追従体（図示せず）が収容される。
【００２７】
また、本実施例では、ペン先保持筒３の前端部外面には、ガイド筒７が圧入固着される。前記ガイド筒７は、小径部７１と大径部７２を有する金属製の筒部材であり、前記大径部７２の内面がペン先保持筒３の前端部外面に圧入されると共に、前記小径部７１内面がペン先２の前部外面または中間部外面を支持し、ペン先２のぐらつきを防止する。
【００２８】
〔第２実施例〕
図２に、本発明の第２実施例を示す。
これは、第１実施例の変形例であり、第１実施例と異なる点は、連結筒５の前端部内面に設けた環状突出部５１の外面に、円錐面５１ａを形成し、それにより、ボール弁６１との密着安定性を向上させた点にある。他の構成及び作用効果は第１実施例と同じであるため、その説明は省略する。
【００２９】
〔第３実施例〕
図３に、本発明の第３実施例を示す。
これは、第１実施例の変形例であり、第１実施例と異なる点は、連結筒５の中間部内面に環状突出部５１を設けると共に、連結筒５の外形状及び内形状を前後対称形状とし、それにより、連結筒５の挿入時の前後の向きを揃えることを不要にして、組立を容易にした点にある。他の構成及び作用効果は第１実施例と同じであるため、その説明は省略する。
【００３０】
〔第４実施例〕
図４に、本発明の第４実施例を示す。
これは、第１実施例の変形例であり、第１実施例と異なる点は、連結筒５の中間部外面に環状の鍔部５２を設け、その鍔部５２がインキ収容筒４の前端面及びペン先保持筒３の後端面に当接することにより、連結筒５の圧入量を規制できる点にある。他の構成及び作用効果は第１実施例と同じであるため、その説明は省略する。
【００３１】
〔第５実施例〕
図５に、本発明の第５実施例を示す。
これは、第１実施例の変形例であり、第１実施例と異なる点は、連結筒５が金属（例えば、ステンレス鋼等）のプレス加工体（外径１．８ｍｍ、内径１．６ｍｍ）からなり、連結筒５の肉厚を切削加工体よりも薄くすることができ、連結筒５内部のインキ通路が、より一層、大きく確保できる点にある。他の構成及び作用効果は第１実施例と同じであるため、その説明は省略する。
【００３２】
〔第６実施例〕
図６に、本発明の第６実施例を示す。
これは、第５実施例の変形例であり、第５実施例と異なる点は、連結筒５の前端部及び後端部（即ち両端部）に環状突出部５１を設け、且つ、連結筒５の外形状及び内形状を前後対称形状とし、それにより、連結筒５の挿入時の前後の向きを揃えることを不要にして、組立を容易にした点にある。他の構成及び作用効果は第５実施例と同一であるため、その説明は省略する。
【００３３】
〔第７実施例〕
図７に、本発明の第７実施例を示す。
これは、第５実施例の変形例であり、第５実施例と異なる点は、連結筒５の前端部内面に設けた環状突出部５１の外面に円錐面５１ａを形成し、それにより、ボール弁６１との密着安定性を向上させた点にある。他の構成及び作用効果は第５実施例と同じであるため、その説明は省略する。
【００３４】
〔第８実施例〕
図８に、本発明の第８実施例を示す。
これは、第５実施例の変形例であり、第５実施例と異なる点は、連結筒５の前端部及び後端部（即ち両端部）に環状突出部５１を設け、且つ、連結筒５の外形状及び内形状を前後対称形状とし、それにより、連結筒５の挿入時の前後の向きを揃えることを不要にして、組立を容易にした点と、前記連結筒５の両端部の環状突出部５１の外側に第７実施例同様の円錐面５１ａを形成し、ボール弁６１との密着安定性を向上させた点にある。他の構成及び作用効果は第５実施例と同じであるため、その説明は省略する。
【００３５】
〔第９実施例〕
図９に、本発明の第９実施例を示す。
これは、第１実施例の変形例であり、第１実施例と異なる点は、連結筒５の前方のペン先保持筒３の内面に別部材の環状体６４（弁座）を圧入固着し、さらに、連結筒５を、ストレートな貫通孔を備えた前後対称形状とし、それにより、連結筒５の製造を容易にした点にある。他の構成及び作用効果は、第１実施例と同じであるため、その説明は省略する。
【００３６】
【発明の効果】
請求項１の発明により、インキ収容筒の外径が小さい場合であっても、インキ収容筒からペン先への十分なインキ供給が可能となると同時に、ペン先保持筒とインキ収容筒との確実な取り付けが可能となる。
【００３７】
請求項２の発明により、ペン先保持筒とインキ収容筒とが径方向に重なることがないため、より一層、ペン先保持筒とインキ収容筒との間のインキ通路を大きく確保できる。
【００３８】
請求項３の発明により、ペン先上向き時のインキの逆流が防止されると共に、部品点数の増加を抑えることができる。
【００３９】
請求項４の発明により、細径のインキ収容筒を得ることができ、手帳用の筆記具や多芯筆記具に最適となる。
【００４０】
請求項５の発明により、比較的細径のボールペンチップを備えたボールペンレフィルが得られる。
【図面の簡単な説明】
【図１】本発明の第１実施例を示す要部縦断面図である。
【図２】本発明の第２実施例を示す要部縦断面図である。
【図３】本発明の第３実施例を示す要部縦断面図である。
【図４】本発明の第４実施例を示す要部縦断面図である。
【図５】本発明の第５実施例を示す要部縦断面図である。
【図６】本発明の第６実施例を示す要部縦断面図である。
【図７】本発明の第７実施例を示す要部縦断面図である。
【図８】本発明の第８実施例を示す要部縦断面図である。
【図９】本発明の第９実施例を示す要部縦断面図である。
【符号の説明】
１  筆記具レフィル
２  ペン先（ボールペンチップ）
２１  ボール
２２  前端縁部
２３  ボール受け座
３  ペン先保持筒
３１  ペン先保持孔
３２  連結孔
４  インキ収容筒
５  連結筒
５１  環状突出部（弁座）
５１ａ  円錐面
５２  鍔部
６  逆流防止弁装置
６１  ボール弁
６２  弁室
６３  当接部
６４  環状体（弁座）
７  ガイド筒
７１  小径部
７２  大径部
８  インキ
【図１】
0004606659.tif 000002
【図２】
0004606659.tif 000003
【図３】
0004606659.tif 000004
【図４】
0004606659.tif 000005
【図５】
0004606659.tif 000006
【図６】
0004606659.tif 000007
【図７】
0004606659.tif 000008
【図８】
0004606659.tif 000009
【図９】
0004606659.tif 000010